(57)【要約】【課題】繊細でかつ細かな模様、しかも曲線的な模様を表出させることができるようにする。【解決手段】フェルト針が収容される凹部２ａが形成された針受け部２と、この凹部に対峙する弾性片３ａが周方向に複数設けられた針保持部３と、弾性片を針受け部に向けて弾性変形させて凹部と弾性片との間でフェルト針を狭持させる押圧部５とを備えた。上記フェルト針保持具１と、フェルト針保持具を直線往復運動させる直線往復運動機構１０と、布地をほぼ平面内で移動させる布移動機構３０とを備えた。布移動機構３０が、布地を押えて移動させる押え金３１と、押え金を平面に対してほぼ平行に往復移動させる平行往復移動機構４０と、押え金を平面にほぼ直交する方向に往復移動させる直交往復移動機構５０と、平行往復移動機構４０と直交往復移動機構５０とを連動させ押え金にループ状の運動をさせて布地を移動させる連動機構６０とを備えた。【選択図】　　　　図４
2004105493.tif 000002
【特許請求の範囲】
【請求項１】
フェルト針が収容される凹部が形成された針受け部と、当該針受け部の凹部に対峙する弾性片が周方向に複数設けられた針保持部と、当該針保持部の弾性片を前記針受け部に向けて弾性変形させて前記針受け部の凹部と針保持部の弾性片との間でフェルト針を狭持させる押圧部とを備えたことを特徴とするフェルト針保持具。
【請求項２】
前記針保持部にはねじ部が形成され、前記押圧部には前記針保持部のねじ部に螺合するねじ部が形成され、針保持部の弾性片又は前記押圧部には螺合された際に前記弾性片を前記針受け部側に弾性変形させるテーパー面がそれぞれ形成されていることを特徴とする請求項１記載のフェルト針保持具。
【請求項３】
前記針受け部には周方向にほぼ等間隔で６個の凹部が形成され、前記針保持部の弾性片は周方向に３分割され、各弾性片は２個の凹部に対峙していることを特徴とする請求項１記載のフェルト針保持具。
【請求項４】
請求項１〜３に記載されたフェルト針保持具と、当該フェルト針保持具を直線往復運動させる直線往復運動機構と、布地をほぼ平面内で移動させる布移動機構とを備えたことを特徴とする刺繍縫いミシン。
【請求項５】
前記フェルト針の直線往復運動によりコードを布地内に挿入していくコード挿入機構を備えたことを特徴とする請求項４記載の刺繍縫いミシン。
【請求項６】
前記布移動機構が、布地を押えて移動させる押え金と、当該押え金を前記平面に対してほぼ平行に往復移動させる平行往復移動機構と、前記押え金を前記平面にほぼ直交する方向に往復移動させる直交往復移動機構と、前記平行往復移動機構と直交往復移動機構とを連動させて前記押え金にループ状の運動をさせ布地を移動させる連動機構とを備えたことを特徴とする請求項４又は５記載の刺繍縫いミシン。
【請求項７】
平行往復移動機構をミシン本体に設けられた回転ハンドルの回転に連動させて回転させる連動回転機構を備えたことを特徴とする請求項６記載の刺繍縫いミシン。
【発明の詳細な説明】
【０００１】
【発明が属する技術分野】
本発明は、フェルト針を布地に差し込んで起毛して布地に模様を形成させる刺繍縫いミシン及びこれに用いられるフェルト針保持具に関するものである。
【０００２】
【従来の技術】
従来、ニードルパンチマシンと呼ばれるものがある。このものは、ニードル針を布地に差し込む機構と布地を直線的に移動させる機構とを備え、ニードル針を布地に突き刺して布地を毛羽立たせて、従来の刺繍では不可能であった刺繍感覚の模様を表出させるものである。
【０００３】
【発明が解決しようとする課題】
かかるニードルパンチマシンでは、布地を直線的に移動させるようにしているので直線的な模様しか表出させることができず、さらには多数のニードル針を一度に布地に突き刺すようにしているので繊細でかつ小さな模様を表出することができなかった。
【０００４】
かかる事情に鑑みてなされたもので、繊細でかつ細かな模様、しかも曲線的な模様を表出させることができる刺繍縫いミシン及びこれに用いられるフェルト針保持具を提供することを目的とする。
【０００５】
【課題を解決するための手段】
本発明の請求項１記載のフェルト針保持具は、フェルト針が収容される凹部が形成された針受け部と、当該針受け部の凹部に対峙する弾性片が周方向に複数設けられた針保持部と、当該針保持部の弾性片を前記針受け部に向けて弾性変形させて前記針受け部の凹部と針保持部の弾性片との間でフェルト針を狭持させる押圧部とを備えたことを特徴とする。
【０００６】
本フェルト針保持具によれば、少ないフェルト針を小さな部分に配置することができ、繊細でかつ細かな模様を表出させることができる。
【０００７】
本発明の請求項２記載のフェルト針保持具は、前記針保持部にはねじ部が形成され、前記押圧部には前記針受け部のねじ部に螺合するねじ部が形成され、針保持部の弾性片又は前記押圧部には螺合された際に前記弾性片を前記針受け部側に弾性変形させるテーパー面がそれぞれ形成されていることを特徴とする。
【０００８】
本フェルト針保持具によれば、押圧部を針保持部に螺合させることにより針保持部の弾性片を弾性変形させて針受け部の凹部と針保持部の弾性片との間にフェルト針をしっかりと狭持することができる。
【０００９】
本発明の請求項３記載のフェルト針保持具は、前記針受け部には周方向にほぼ等間隔で６個の凹部が形成され、前記針保持部の弾性片は周方向に３分割され、各弾性片は２個の凹部に対峙していることを特徴とする。
【００１０】
本フェルト針保持具によれば、６本のフェルト針が円形状に配置され、繊細でかつ細かな模様を表出させることに使用することができる。３個の弾性片を押圧するので隙間なく確実に弾性変形させることができ、各弾性片は針受け部の凹部に収容された２本のフェルト針を保持するので、隙間なく確実にフェルト針を保持することができる。
【００１１】
本発明の請求項４記載の刺繍縫いミシンは、上記フェルト針保持具と、当該フェルト針保持具を直線往復運動させる直線往復運動機構と、布地をほぼ平面内で移動させる布移動機構とを備えたことを特徴とする。
【００１２】
本刺繍縫いミシンによれば、直線往復運動機構によりフェルト針を布地に突き刺して起毛させて模様を表出させることができ、同時に布移動機構を作動させて布地を平面内で、直線的若しくは曲線的に移動させることにより、直線的若しくは曲線的な模様を表出させることができる。
【００１３】
本発明の請求項５記載の刺繍縫いミシンは、前記フェルト針の直線往復運動によりコードを布地内に挿入していくコード挿入機構を備えたことを特徴とする。
【００１４】
本刺繍縫いミシンによれば、フェルト針を布地に突き刺すと同時にコードを布地に突き刺して挿入することにより、コードを布地内に残留させてフェルト針自身による模様の他にコードによる模様の表出を図ることができる。
【００１５】
本発明の請求項６記載の刺繍縫いミシンは、前記布移動機構が、布地を押えて移動させる押え金と、当該押え金を前記平面に対してほぼ平行に往復移動させる平行往復移動機構と、前記押え金を前記平面にほぼ直交する方向に往復移動させる直交往復移動機構と、前記平行往復移動機構と直交往復移動機構とを連動させて前記押え金にループ状の運動をさせ布地を移動させる連動機構とを備えたことを特徴とする。
【００１６】
本刺繍縫いミシンによれば、連動機構により押え金をループ状に移動させて、当該押え金により布地を移動させることができる。
【００１７】
本発明の請求項７記載の刺繍縫いミシンは、平行往復移動機構をミシン本体に設けられた回転ハンドルの回転に連動させて回転させる連動回転機構を備えたことを特徴とする。
【００１８】
本刺繍縫いミシンによれば、回転ハンドルを回転させると平行往復移動機構が連動して回転させられ、平行往復移動機構による布地の移動方向が回転させられて、布地の移動方向が回転させられ、連動回転機構により回転させる前に対して角度を持った方向に布地が移動させられ、角度を持った方向に模様が表出される。
【００１９】
【発明の実施の形態】
以下に、図面を参照して、本発明の実施の形態に係るフェルト針保持具及びこのフェルト針保持具を用いた刺繍縫いミシンについて説明する。
【００２０】
図１〜図３に示すように、本フェルト針保持具１は、フェルト針が収容される凹部２ａが形成された針受け部２と、当該針受け部２の凹部２ａに対峙した弾性片３ａが周方向に複数設けられた針保持部３と、当該針保持部３の弾性片３ａを針受け部２に向けて弾性変形させて針受け部２の凹部２ａと針保持部３の弾性片３ａとの間でフェルト針４を狭持させる押圧部５とを備えて概略構成される。
【００２１】
図示するものは、前記針受け部２には周方向にほぼ等間隔で６個の凹部２ａが形成され、針保持部３の弾性片３ａは周方向に３分割され、各弾性片３ａは針受け部２の２個の凹部２ａに対峙している。
【００２２】
前記針保持部３の基端部外周にはねじ部３ｂが形成され、押圧部５の基端部内周には針保持部３のねじ部３ｂに螺合するねじ部５ｂが形成されている。針保持部３の弾性片３ａの外面及び押圧部５の先端部内周には螺合された際に弾性片３ａを針受け部２側に弾性変形させるテーパー面３ｃ，５ｃが形成されている。
【００２３】
前記針受け部２の基端部には円柱部２ｂが形成され、針保持部３の基端部には当該円柱部２ｂが挿入される貫通孔３ｄが形成され、当該貫通孔３ｄ内又は針受け部２の円柱部２ｂの外周面に接着剤を塗布した後、これらを挿入して相互に一体化している。針保持部３の基端部には、隣接する弾性片３ｂ間の間隙からカッターなどで形成された溝部３ｅが形成されている。
【００２４】
前記フェルト針４は、例えばオルガンフェルト針として販売されているものが使用される。オルガンフェルト針は針先端側に刺状のバーブやキックアップがプレス加工などにより形成されたものである。そして、市販品を必要に応じて針中間部で切断してハーブやキックアップが形成された先端側のみを使用する。特にオルガンフェルト針のうち中間ブレードを有するものは、その中間ブレード上部で切断するようにすると針先端側を長く使用することができるので好適である。
【００２５】
そして、針受け部２、針保持部３及び押圧部５を組み合わせたサブアッシー品は、その針保持部３の基端部を針棒パイプ２４の先端に挿入し、針保持部３の基端部に形成されたねじ部３ｆにボルト３ｇをねじ込んで固定される。
【００２６】
本フェルト針保持具１によれば、少ないフェルト針４を小さな部分に配置することができ、後述する刺繍縫いミシンに使用すれば、繊細でかつ細かな模様を表出させることができる。
【００２７】
押圧部５のねじ部５ｂを針保持部３のねじ部３ｂに螺合させることにより、それぞれに形成されたテーパー面３ｃ，５ｃを介して針保持部３の弾性片３ａを弾性変形させて針受け部２の凹部２ａと針保持部３の弾性片３ａとの間にフェルト針をしっかりと狭持することができる。
【００２８】
本フェルト針保持具１では、針受け部２に６本のフェルト針４が円形状に配置され、繊細でかつ細かな模様を表出させるために使用することができる。また、３個の弾性片３ａを押圧するので弾性片を隙間なく確実に弾性変形させることができ、各弾性片３ａでは２本のフェルト針４を保持するので、隙間なく確実にフェルト針を保持することができる。
【００２９】
次に、上述したフェルト針保持具１を用いた刺繍縫いミシンについて説明する。
【００３０】
本刺繍縫いミシンは、上記したフェルト針保持具１と、当該フェルト針保持具１を直線往復運動させる直線往復運動機構１０と、布地をほぼ平面内で移動させる布移動機構３０とを備えて概略構成される。また、フェルト針４の直線往復運動によりコードを布地内に挿入していくコード挿入機構８０を備えている。
【００３１】
前記直線往復運動機構１０は、図４及び図６に示すように、以下のように構成される。
【００３２】
すなわち、回転駆動されるメインシャフト１１にタイミングプーリー１２が止めねじ１２ａにより固定されている。ミシン本体には支持部材１３がボルト１３ａにより固定されている。支持部材１３には軸受穴１３ｂが形成され、軸受穴１３ｂ内にはシャフト１４が回転自在に挿入されている。シャフト１４の図中右側端部にはタイミングプーリー１５が止めねじ１５ａにより固定されている。前記タイミングプーリー１２とタイミングプーリー１５との間にはタイミングベルト１６が架け渡されている。
【００３３】
シャフト１４の図中左端部には、針棒クランク１７が止めねじ１７ａにより固定されている。針棒クランク１７の下端部に形成された貫通孔内には針棒クランクピン１８が挿入されて固定されている。針棒クランクピン１８にはカムローラー１９がはめ込まれ、カムローラー１９は、針棒作動カム２０の形成されたカム溝２０ａ内に摺動自在に挿入されている。針棒作動カム２０は止めねじ２０ｂにより針棒作動スライダー２１の上端部に固定されている。当該止めねじ２０ｂは針棒作動スライダー２１を貫通して針棒作動二股部材２２に形成されたねじ部にねじ込まれて、針棒作動カム２０と針棒作動二股部材２２とは針棒作動スライダー２１に一体的に固定されている。
【００３４】
図４及び図９に示すように、ミシン本体には、針棒アーム２８がスプリングピン２８ｄ，２８ｅ及びボルト２８ａ，２８ｂ，２８ｃにより取り付けられている。針棒アーム２８の貫通孔２８ｆ，２８ｇには、概略筒状の針棒スリーブ２３（図７参照）が取り付けられている。貫通孔２８ｆには針棒スリーブ押え板２８ｈが止めねじ２８ｉにより固定されている。図４及び図７に示すように、この針棒スリーブ２３内には概略筒状の針棒パイプ２４が進退移動可能に挿入されている。針棒スリーブ２３の図中上部にはスリット２３ａが形成されている。このスリット２３ａには針棒作動リンクセット２５が取り付けられる。
【００３５】
すなわち、図７に示すように、針棒作動リンクセット２５は、針棒パイプ２４の外周で、かつ、針棒スリーブ２３の内側に配置される針棒作動リンク角駒２６と、針棒スリーブ２３の外周に配置される針棒作動リンク２７とからなり、針棒作動リンク２７に長さ方向に３個配置された貫通孔から止めねじ２６ａ，２６ｂを通して、針棒作動リンク角駒２６に形成されたねじ穴にねじ込んで仮止めし、針棒作動リンク角駒２６と針棒作動リンク２７とを、針棒作動リンク角駒２６のねじ部が針棒スリーブ２３のスリット２３ａ内に挿入されるように取り付ける。この後、止めねじ２６ａを締め付けて針棒作動リンク角駒２６を針棒スリーブ２３に固定するとともに、止めねじ２６ｂを締め付けて針棒作動リンク角駒２６の中間部を圧縮して針棒作動リンク角駒２６を変形させて針棒パイプ２４に針棒作動リンク角駒２６を固定する。
【００３６】
前記針棒作動リンク２７の図中下部には周溝２７ａが形成され、この周溝２７ａ内には、前記針棒作動二股部材２２の図中下部に形成された爪部２２ａが挿入される。この状態で、止めねじ２６ａを本締めして針棒作動リンク２７及び針棒作動リンク角駒２６とを針棒パイプ２４に固定する。これにより、メインシャフト１１の回転に連動して針棒パイプ２４が図中上下方向に往復運動する。
【００３７】
前記布移動機構３０は、図４、図５、図７及び図８に示すように、以下のように構成される。すなわち、布地を押える押え金３１と、当該押え金３１をミシン本体のベッド平面に対してほぼ平行に往復移動させる平行往復移動機構４０と、押え金３１をベッド平面にほぼ直交する方向に往復移動させる直交往復移動機構５０と、前記平行往復移動機構と直交往復移動機構とを連動させて前記押え金にループ状の運動をさせて布地を移動させる連動機構６０とを備えて概略構成される。また、前記平行往復移動機構４０をミシン本体に設けられた回転ハンドルの回転に連動して回転させる連動回転機構７０を備えている。
【００３８】
前記押え金３１は、図５及び図８に示すように、リング状部材３１ａの図中下面にはめ込まれたゴム製のリング部材３１ｂと、リング状部材３１ａから図中上方に延設されたアーム部３１ｃとからなる。当該アーム部３１ｃは、押え金取付レバー３２の下端部に、枠状の締め金３３と締め金３３にねじ込まれた止めねじ３３ａとにより取り付けられている。
【００３９】
前記平行往復移動機構４０は、以下のように構成される。すなわち、図４及び図７に示すように、送りレバー土台４１が針棒スリーブ２３の外周面に挿入され、止めねじ４１ａにより針棒スリーブ２３に固定されている。送りレバー土台４１には、送りレバー４１ｄがピン４１ｅによりピン４１ｅを中心として揺動自在に取り付けられている。送りレバー４１ｄは、送りレバー土台４１に止めねじ４１ｃにより取り付けられた復帰用のコイルスプリング４１ｂにより元の位置に復帰付勢されている。
【００４０】
送り作動リンク４２が針棒スリーブ２３の外周面に摺動自在に挿入され、送り作動リンク４２の外周面に形成されたテーパー面４２ａに前記送りレバー４１ｄの図中上端部が乗り上げる状態となるように配置されている。
【００４１】
図５に示すように、送り作動リンク４２の上端部付近に形成された周溝４２ｃには送り作動二股部材４３が挿入されており、送り作動二股部材４３には、図示しない機構により図中上下方向に往復運動させられるロッド４４が固定されている。
【００４２】
前記押え金取付レバー３２の中間部にはリング状の案内部材取付部４６が形成されている。この案内部材取付部４６には、送りレバー受け金案内部材４５が取り付けられている。図８に示すように、送りレバー受け金案内部材４５の外周面には、切欠部４５ａが形成されており、この切欠部４５ａに前記送りレバー４１ｄの先端部付近が挿入されている。なお、送りレバー受け金案内部材４５の図中下面にはキャップ４５ｂが止めねじ４５ｃにより固定されている。
【００４３】
前記直交往復移動機構５０は、以下のように構成される。すなわち、図８に示すように、前記押え金取付レバー３２の図中上端部には、止めねじ３２ａにより押え取付レバー二股部材３２ｂが取り付けられている。押え金取付レバー３２にほぼ平行に沿って押え作動レバー３５が配置され、押え作動レバー３５の中間部に形成された突起部３５ａには図示しない機構が当接させられて、押え作動レバー３５は、図中上下方向に往復運動させられる。この往復運動が図示しない機構を介して押え作動レバー二股部材３２ｂに伝達されて、前記押え金取付レバー３２が図中上下方向に往復運動させられる。
【００４４】
前記連動機構６０は、メインシャフト１１の先端に取り付けられたカム６１を用いて、前記平行往復移動機構４０及び直線往復運動機構５０による作動タイミングをそれぞれ同期させる機構により構成される。
【００４５】
前記連動回転機構７０は、以下のように構成される。すなわち、図４に示すように、ミシン本体には、送り回転横シャフト７１が回転自在に取り付けられている。この送り回転横シャフト７１の図示しない端部はミシン本体の底部に設けられた図示しない回転ハンドルに歯車群を介して連結されている。送り回転横シャフト７１の他端部には送り回転歯車７２が止めネジ７２ａにより固定されている。ミシン本体には送り回転シャフト７３が回転自在に取り付けられている。送り回転シャフト７３の一端には前記送り回転歯車７２と噛み合う送り回転歯車７４が止めネジにより固定されている。送り回転シャフト７３の他端には、ベベルギヤー７４がスプリングピン７４ａにより取り付けられている。針棒スリーブ２３の外周面には前記ベベルギヤー７４と噛み合うベベルギヤー７５が挿入され、ベベルギヤー７４と噛み合わせた状態で止めネジ７５ａにより針棒スリーブ２３の外周面に固定されている。
【００４６】
前記コード挿入機構８０は以下のように構成される。すなわち、針棒スリーブ２３の上端部にはコード車取付土台８１が止めネジ８１ａにより固定されている。コード車取付土台８１にはコード車取付板８２が止めネジ８２ａにより取り付けられている。コード車取付板８２の両端部にはコード車支持棒８３，８４がナット８３ａ，８４ａにより片持ち状態で取り付けられている。以下図示しないが、コード車支持棒８３，８４の上端部にはコードが巻き取られたコード車の心棒を支持する軸受部が形成され、これら軸受部間に心棒が架橋されてコード車が支持される。コード車から繰り出されたコードは針棒パイプ２４内に挿入される。
【００４７】
針棒パイプ２４の先端部付近には、図７に示すように、管壁を一部切り欠いて形成されたコード出口２４ａが開口している。図９に示すように、針棒アーム２８の下部に設けられた貫通孔２８ｇには、針棒アームブッシュ８５が圧入されており、針棒アームブッシュ８５にはニップル作動スリーブ８６が回転自在に挿入されている。ここで、ニップル作動スリーブ８６の内側には、針棒パイプ２４の外周面の一部に沿うように湾曲した駒部材がニップル作動スリーブ８６の外側から挿入された止めねじにより固定され、当該駒部材は針棒スリーブ２３の壁部を図中下端から図中上方に向けて切り欠いて形成された切欠部内に摺動自在に挿入されている。これにより、針棒スリーブ２３の回転力は前記駒部材を介してニップル作動スリーブ８６に伝達されてニップル作動スリーブ８６が回転させられるとともに、ニップル作動スリーブ８６は、前記駒部材が前記切欠部内で摺動することにより針棒スリーブ２３に対して図中上下方向に相対移動できる。
【００４８】
ニップル作動スリーブ８６の先端にはニップル取付ブロック８７が止めネジ８７ａにより固定されている。ニップル取付ブロック８７の端部にはニップル８８が止めネジ８８ａにより固定されている。ニップル８８の先端にはほぼ９０度折り曲げられた折曲部８８ｂが形成され、当該折曲部８８ｂにはフェルト針４及びコードが挿通させられる貫通孔８８ｃが形成されている。
【００４９】
前記ニップル作動スリーブ８６の上端部付近には周溝８６ａが形成されている。周溝８６ａ内にはニップル作動二股部材８９が挿入されている。図８に示すようにニップル作動二股部材８９の端部にはニップル作動ロッド８９ａが固定されている。ニップル作動ロッド８９ａの中間部にはピンネジ８９ｂがねじ込まれている。ニップル作動ロッド８９ａは図示しない機構により図中上下方向に往復運動させられ、それに伴ってニップル８８が図中上下方向に往復運動させられる。
【００５０】
図面に基づいて本発明の実施の形態に係る刺繍縫いミシンの動作について説明する。
【００５１】
メインシャフト１１が時計回りに回転駆動されると、回転変位がタイミングプーリー１２、タイミングベルト１６を介してタイミングプーリー１５に伝達され、針棒クランクシャフト１４が時計回りに回転駆動される。この回転に伴って針棒クランク１７が回転駆動され、針棒クランク１７に固定された針棒クランクピン１８及びカムローラー１９が針棒作動カム２０のカム溝２０ａ内で運動し、針棒作動スライダー２１及び針棒作動二股部材２２が図中上下方向に往復運動させられる（図中２点鎖線参照）。針棒作動二股部材２２は針棒作動リンク２７の周溝２７ａ内に挿入されているので、針棒作動リンク２７が図中上下方向に往復運動させられる。針棒作動リンク２７には針棒作動リンク角駒２６を介して針棒パイプ２４が固定されているので、針棒パイプ２４は図中上下方向に往復運動させられる。針棒パイプ２４の先端にはフェルト針保持具１が固定されているので、針棒パイプ２４の往復運動に伴ってフェルト針４が図中上下方向に往復運動し、ミシン本体のベット上に置かれた布地にフェルト針４が突き刺さる。
【００５２】
フェルト針４にはハーブやキックアップが形成されているので、突き刺さった際に布地の一部が裏側に強制的に下側に押し出され起毛される。この結果、下側に押し出された部分が、模様として表出させられる。
【００５３】
フェルト針４を図中上下方向に往復運動させながら布地を適宜の方向に移動させれば、所定のパターンの模様を表出させることができる。布地を適宜の方向に移動させる動作は次のようになされる。
【００５４】
直線方向に模様を表出させる場合には、ロッド４４を図中上下方向に往復運動させると、ロッド４４に固定された送り作動二股部材４３が図中上下方向に往復運動させられる。送り作動二股部材４３は送り作動リンク４２の周溝４２ｃに挿入されているので、送り作動リンク４２は針棒スリーブ２３の外周面に沿って図中上下方向に摺動する。送り作動リンク４２に形成されたテーパー面４２ａには送りレバー４１ｄの一端が乗り上げているので、送り作動リンク４２の往復運動に連動して送りレバー４１ｄがピン４１ｅを中心として揺動し、送りレバー４１ｄの他端が係合している送りレバー受け金案内部材４５に、これを図中水平面内で揺動させる荷重が作用する。送りレバー受け金案内部材４５は、案内部材取付部４６を介して押え金取付レバー３２に取り付けられているので、押え金取付レバー３２が図中水平面内で揺動し、押え金取付レバー３２の先端に取り付けられた押え金３１が図中水平面内で揺動する。
【００５５】
ロッド４４の往復運動による押え金３１の移動に連動して、押え作動レバー３５を図中上下方向に往復運動させる。押え作動レバー３５は押え取付レバー二股部材３２ｂを介して押え金取付レバー３２に接続されているので、押え作動レバー３５の往復運動に連動して押え金取付レバー３２が図中上下方向に往復運動させられ、押え金取付レバー３２の先端に取り付けられた押え金３１が図中上下方向に往復運動する。
【００５６】
押え作動レバー３５の往復運動とロッド４４の往復運動は連動して作動させられるので、結果として押え金３１はループ状の軌跡をもって運動する。押え金３１の下面にはゴム製のリング部材３１ｂが取り付けられて布地との間に摩擦力が生じているので、押え金３１のループ状の運動により布地は所定の方向に搬送される。これにより、フェルト針４の往復運動に伴って所定直線方向に模様を表出させることができる。
【００５７】
曲線方向に模様を表出させる場合には、ミシン本体の底部に設けられた回転ハンドルを回転させる。これにより、送り回転横シャフト７１が回転させられ、送り回転歯車７２，７４を介して送り回転シャフト７３が回転させられベベルギヤー７４が回転させられる。ベベルギヤー７４に噛み合ったベベルギヤー７５が回転させられる。ベベルギヤー７５は針棒スリーブ２３に固定されているので、針棒スリーブ２３が回転させられる。針棒スリーブ２３には、送りレバー土台４１が固定されているので、針棒スリーブ２３の回転に伴って送りレバー土台４１が回転し、送りレバー４１ｄがかみ合っている送りレバー受け金案内部材４５が回転させられる。これにより、送りレバー４１ｄの揺動により押え金３１が水平面内で揺動させられる方向が回転させられる。この結果、送りレバー土台４１の回転に伴って押え金３１による布地の搬送方向が水平面内で回転させられ、以前の搬送方向と角度を持った方向に搬送され、元の模様と角度を持った模様が表出される。回転ハンドルを連続的に回転操作させれば、布地を曲線運動させて曲線の模様を表出させることができる。
【００５８】
次に、コードを用いて模様を表出させるには、コードが巻かれたコード車をコード車支持棒８３，８４の軸受部に架橋して設置し、コード先端を繰り出して、針棒パイプ２４の内側に挿入する。挿入されたコードの先端は、針棒パイプ２４の下端部付近に形成されたコード出口２４ａから引き出され、ニップル８８の先端に形成された貫通孔８８ｃに通される。これにより、フェルト針４が図中上下方向に往復運動した場合に、フェルト針４が布地に突き刺されると同時にフェルト針４によりコードが布地に突き刺されて挿入され、コードが布地内に残留させられフェルト針４自身により表出される模様の他にコードによる模様の表出を図ることができる。
【００５９】
針棒スリーブ２３の先端にはニップル作動スリーブ８６が取り付けられ、ニップル作動スリーブ８６の先端にはニップル取付ブロック８７を介してニップル８８が固定されているので、上述したように針棒スリーブ２３を回転させて布地の搬送方向を回転させた場合にも、その回転に伴ってニップル８８の向きが回転させられ、コード出口２４ａとの相対位置関係は回転前と同じに保たれる。したがって、コードとニップル８８とが絡まり合うことがない。また、ニップル作動スリーブ８６の周溝８６ａにはニップル作動二股部材８９がかみ合っていて、所定のタイミングで図中上下動させられるのでコード挿入のタイミングをとることができる。
【００６０】
【発明の効果】
以上説明したように、本発明のフェルト針保持具及びこれを用いた刺繍縫いミシンによれば、以下のような効果を奏する。
【００６１】
（１）本フェルト針保持具によれば、少ないフェルト針を小さな部分に配置することができ、繊細でかつ細かな模様を表出させることができる。
【００６２】
（２）本フェルト針保持具によれば、押圧部を針保持部に螺合させることにより針保持部の弾性片を弾性変形させて針受け部の凹部と針保持部の弾性片との間にフェルト針をしっかりと狭持することができる。
【００６３】
（３）本フェルト針保持具によれば、６本のフェルト針が円形状に配置され、繊細でかつ細かな模様を表出させることに使用することができる。
【００６４】
（４）本フェルト針保持具によれば、３個の弾性片を押圧部により押圧するので、これらの弾性片を隙間なく確実に弾性変形させることができ、各弾性片では２本のフェルト針を保持するので、隙間なく確実にフェルト針を保持することができる。
【００６５】
（５）本刺繍縫いミシンによれば、直線往復運動機構によりフェルト針を布地に突き刺して模様を表出させることができ、同時に布移動機構を作動させて布地を平面内で、直線的若しくは曲線的に移動させることにより、直線的若しくは曲線的な模様を表出させることができる。
【００６６】
（６）本刺繍縫いミシンによれば、フェルト針を布地に突き刺すと同時にコードを布地に突き刺して挿入することにより、コードを布地内に残留させてフェルト針自身による模様の他にコードによる模様の表出を図ることができる。
【００６７】
（７）本刺繍縫いミシンによれば、平行往復移動機構と直交往復移動機構と連動機構とにより押え金をループ状に移動させて、当該押え金により布地を移動させることができる。
【００６８】
（８）本刺繍縫いミシンによれば、回転ハンドルを回転させると平行往復移動機構が連動して回転させられ、布地の移動方向が回転させられて、連動回転機構により回転させる前に対して角度を持った方向に布地が移動させられ、角度を持った方向に模様を表出させることができる。
【図面の簡単な説明】
【図１】本発明の実施の形態に係るニードル針保持具を示す断面図である。
【図２】図１中のＡ−Ａ断面図である。
【図３】図１中のＢ−Ｂ断面図である。
【図４】本発明の実施の形態に係る刺繍縫いミシンの全体構成を示す図である。
【図５】図４に示す刺繍縫いミシンの一部を示す図である。
【図６】図４に示す刺繍縫いミシンの一部を示す分解斜視図である。
【図７】図４に示す刺繍縫いミシンの一部を示す分解斜視図である。
【図８】図４に示す刺繍縫いミシンの一部を示す分解斜視図である。
【図９】図４に示す刺繍縫いミシンの一部を示す分解斜視図である。
【符号の説明】
１　　フェルト針保持具
２　　針受け部
２ａ　凹部
３　　針保持部
３ａ　弾性片
４　　フェルト針
５　　押圧部
１０　直線往復運動機構
３０　布移動機構
４０　平行往復移動機構
５０　直交往復移動機構
６０　連動機構
７０　連動回転機構
８０　コード挿入機構
【図１】
2004105493.tif 000003
【図２】
2004105493.tif 000004
【図３】
2004105493.tif 000005
【図４】
2004105493.tif 000006
【図５】
2004105493.tif 000007
【図６】
2004105493.tif 000008
【図７】
2004105493.tif 000009
【図８】
2004105493.tif 000010
【図９】
2004105493.tif 000011